(57)【要約】      （修正有）【課題】建物等の壁面に各種広告物を確実に固定して各種広告物と壁面との間隔を一定に保つことができ、簡素な構造で孔あけ加工等を行う必要がなく施工性、量産性に優れ、接着剤等も不要で工期を短縮することができ、作業性、省力性に優れた広告物固定構造を提供する。【解決手段】壁面１１の表側に当接する座部２と、座部に穿設された固定具挿通孔２ａと、固定具挿通孔から挿通され壁面に螺着される固定具２０と、座部の中央部に立設され広告物の底板部１４に形成された固定孔に挿通されるボルト軸３と、ボルト軸に螺着され広告物の底板部を支持する支持ナット２１と、ボルト軸に螺着され支持ナットとの間で広告物の底板部を挟持する押さえナット２２と、を備える。【選択図】図３
0003199402.tif 000002
【実用新案登録請求の範囲】
【請求項１】
広告物を壁面から浮かせて固定する広告物固定構造であって、
前記壁面の表側に当接する座部と、前記座部に穿設された固定具挿通孔と、前記固定具挿通孔から挿通され前記壁面に螺着される固定具と、前記座部の中央部に立設され前記広告物の底板部に形成された固定孔に挿通されるボルト軸と、前記ボルト軸に螺着され前記広告物の前記底板部を支持する支持ナットと、前記ボルト軸に螺着され前記支持ナットとの間で前記広告物の前記底板部を挟持する押さえナットと、を備えていることを特徴とする広告物固定構造。
【請求項２】
前記座部の中央部に形設された雌螺子部に前記ボルト軸の端部が螺着されていることを特徴とする請求項１に記載の広告物固定構造。
【請求項３】
前記座部の底面側で前記座部に前記ボルト軸の端部が面一に溶接されていることを特徴とする請求項２に記載の広告物固定構造。
【請求項４】
前記壁面と前記広告物との間に配設された照明具を備えていることを特徴とする請求項１乃至３の内いずれか１項に記載の広告物固定構造。
【考案の詳細な説明】
【技術分野】
【０００１】
本考案は、箱文字等の広告物を壁面等に固定する広告物固定構造に関するものである。
【背景技術】
【０００２】
従来、建物の壁面等には、会社、店舗、病院、マンション等の名前、ビル名、案内板、表札等の各種広告物が取付けられている。
これらの各種広告物を壁面に取付ける場合、壁面に穿設した孔に接着剤を充填し、各種広告物の背面に突設されたアンカーを差込んで固定する方法が好適に用いられるが、その他にも様々な固定具や固定構造が検討されている。
例えば（特許文献１）には、係止体と係止体に移動可能に取り付けられたトグル部材とを備えたアンカーアセンブリが開示されている
また、（特許文献２）には、表面に姓あるいは姓名等の表示部が形成された表札本体部の背後に、それぞれ第１スペーサを介して少なくとも二つの座金を設けるとともに、該座金の中心部から背後へ延びた支持杆を設け、該支持杆を壁面等の取付面に形成した支持穴に挿入するとともに、前記座金を取付面に接合した状態で接着することを特徴とする表札が開示されている。
【先行技術文献】
【特許文献】
【０００３】
【特許文献１】特表２００８−５３３４１２号公報
【特許文献２】特開２００９−１９８９２６号公報
【考案の開示】
【考案が解決しようとする課題】
【０００４】
しかしながら、上記従来の技術は以下のような課題を有していた。
（１）（特許文献１）のようなトグル部材を備えたアンカーアセンブリは、壁に挿通した後、トグル部材を回動させて壁の裏面に当接させることにより、アンカー本体の抜けを防止するものであり、構造が複雑で量産性、施工性に欠けるという課題を有していた。
また、壁の裏側でトグル部材を回動させるためのスペースが必要であり、基本的に中空の壁でなければ使用することができず、使用場所が限定され、汎用性に欠けるという課題を有していた。
（２）（特許文献２）の表札は、座金を取付面に接合し、第１スペーサを座金及び支持杆から分離可能とすることにより、表札本体部を取付面に対して平行に浮いた状態で取付けることができ、表札本体部を容易に取外し可能として、メンテナンス性を向上させたものである。
しかし、支持杆を壁面等の取付面に形成した支持穴に挿入して接着剤で固定する方法は、一般的なアンカーによる固定方法と同様であり、表札本体部等の広告物を壁面と平行に取付けるためには、支持穴を壁面と直角に穿設しなければならず、施工性に欠けるという課題を有していた。
また、接着剤が固まるまで、支持杆が傾かないように保持する必要があり、作業性に欠けるという課題を有していた。
【０００５】
本考案は上記課題を解決するもので、建物等の壁面に各種広告物を確実に固定して各種広告物と壁面との間隔を一定に保つことができ、簡素な構造で孔あけ加工等を行う必要がなく施工性、量産性に優れ、接着剤等も不要で工期を短縮することができ、作業性、省力性に優れた広告物固定構造の提供を目的とする。
【課題を解決するための手段及びそれによって得られる作用、効果】
【０００６】
上記課題を解決するために本考案の広告物固定構造は、以下の構成を有している。
本考案の請求項１に記載の広告物固定構造は、広告物を壁面から浮かせて固定する広告物固定構造であって、前記壁面の表側に当接する座部と、前記座部に穿設された固定具挿通孔と、前記固定具挿通孔から挿通され前記壁面に螺着される固定具と、前記座部の中央部に立設され前記広告物の底板部に形成された固定孔に挿通されるボルト軸と、前記ボルト軸に螺着され前記広告物の前記底板部を支持する支持ナットと、前記ボルト軸に螺着され前記支持ナットとの間で前記広告物の前記底板部を挟持する押さえナットと、を備えた構成を有している。
この構成により、以下のような作用、効果を有する。
（１）壁面の表側に当接する座部と、座部に穿設された固定具挿通孔と、固定具挿通孔から挿通され壁面に螺着される固定具を備えていることにより、壁面に予め孔あけ加工などを行う必要がなく、壁面の表側から座部の固定具挿通孔に固定具を挿通して壁面に螺着するだけで短時間で簡単かつ確実に座部を固定することができ、施工性、省力性に優れる。
（２）壁面の表側に当接する座部と、座部の中央部に立設され広告物の底板部に形成された固定孔に挿通されるボルト軸を有するので、壁面の表側に当接する座部でボルト軸を確実に支持してボルト軸と共に広告物が傾斜することを防ぐことができ、固定安定性に優れる。
（３）ボルト軸に螺着され広告物の底板部を支持する支持ナットと、ボルト軸に螺着され支持ナットとの間で広告物の底板部を挟持する押さえナットを有するので、ボルト軸に支持ナットと押さえナットを螺着するだけで、広告物の底板部を確実に支持することができ、施工性、省力性に優れる。
（４）ボルト軸に螺着される支持ナットと押さえナットで広告物の底板部を挟持することができるので、ボルト軸に沿って支持ナットと押さえナットの位置を移動させるだけで壁面と広告物との間隔を容易に調整することができ、汎用性、機能性に優れる。
【０００７】
ここで、座部の材質としては、ステンレス鋼、鉄鋼、アルミニウム合金等の金属が好適に用いられる。
座部の形状や大きさは固定対象である広告物の大きさや重量などに応じて、適宜、選択することができる。
固定具挿通孔の数や配置は適宜、選択することができるが、２〜４箇所の固定具挿通孔を等角度間隔で配置することにより、固定安定性、施工性に優れ、好ましい。
ボルト軸の太さや長さは、広告物の大きさや重量及び壁面から広告物までの距離などに応じて、適宜、選択することができる。
固定具は壁面に螺着できるものであればよいが、ビス等が好適に用いられる。
【０００８】
請求項２に記載の考案は、請求項１に記載の広告物固定構造であって、前記座部の中央部に形設された雌螺子部に前記ボルト軸の端部が螺着されている構成を有している。
この構成により、請求項１の作用、効果に加え、以下のような作用、効果を有する。
（１）座部の中央部に形設された雌螺子部にボルト軸の端部が螺着されていることにより、座部とボルト軸を確実に固定することができるだけでなく、座部に対してボルト軸を直交させて、ボルト軸で保持される広告物の底板部を壁面と平行に保つことができ、施工性、美感性に優れる。
【０００９】
請求項３に記載の考案は、請求項２に記載の広告物固定構造であって、前記座部の底面側で前記座部に前記ボルト軸の端部が面一に溶接されている構成を有している。
この構成により、請求項２の作用、効果に加え、以下のような作用、効果を有する。
（１）座部の底面側で座部にボルト軸の端部が面一に溶接されていることにより、座部とボルト軸をさらに強固に固定することができ、ボルト軸が座部から脱落することがなく、耐久性、取扱い性に優れる。
【００１０】
ここで、溶接の方法は、座部及びボルト軸の材質等に応じて、適宜、選択することができるが、アーク溶接、ガス溶接、ＴＩＧ溶接等が好適に用いられる。
ボルト軸の外周部の少なくとも一部が座部と溶接されていればよいが、ボルト軸の外周部の全周やボルト軸の端面全体が座部と溶接されることにより、ボルト軸を強固に固定することができ、耐久性に優れる。
また、溶接時の余盛が座部の底面側に突出しないようにすることが好ましい。座部の底面を壁面に密着させることができ、固定具で固定した際に、座部が傾いたり、ぐらついたりすることがなく、固定の安定性に優れるためである。尚、必要に応じて、座部の底面が平らになるように削ってもよい。
【００１１】
請求項４に記載の考案は、請求項１乃至３の内いずれか１項に記載の広告物固定構造であって、前記壁面と前記広告物との間に配設された照明具を備えている構成を有している。
この構成により、請求項１乃至３の内いずれか１項の作用、効果に加え、以下のような作用、効果を有する。
（１）壁面と広告物との間に配設された照明具を有することにより、広告物の背面側から広告物を照明することができ、装飾性、美感性、夜間の視認性に優れる。
【００１２】
ここで、照明具は、広告物の底板部側から広告物を照明することができればよく、数、配置、色、明るさ等は、広告物の種類や大きさ等に応じて、適宜、選択することができるが、広告物の底板部に配設することが好ましい。また、照明具の光源は適宜、選択することができるが、ＬＥＤを用いることにより、省スペース性、省電力性、長寿命性に優れる。
尚、必要に応じて照明具のカバーを設けてもよい。また、照明具に電力を供給するための電源は、適宜、配設することができ、広告物の底板部の外側や内側に配設してもよいし、壁面に埋め込んでもよい。
【図面の簡単な説明】
【００１３】
【図１】実施の形態１の広告物固定構造に用いられる広告物固定具の側面模式図
【図２】実施の形態１の広告物固定構造に用いられる広告物固定具の平面模式図
【図３】実施の形態１の広告物固定構造を示す要部断面模式図
【図４】実施の形態２の広告物固定構造を示す要部断面模式図
【考案を実施するための形態】
【００１４】
本考案の広告物固定構造について、以下図面を参照しながら説明する。なお、本考案は以下に説明する実施の形態に限定されるものではない。
（実施の形態１）
図１は実施の形態１の広告物固定構造に用いられる広告物固定具の側面模式図であり、図２は実施の形態１の広告物固定構造に用いられる広告物固定具の平面模式図である。
図１及び図２中、１は実施の形態１の広告物固定構造に用いられる広告物固定具、２はステンレス鋼で円板状に形成された広告物固定具１の座部、２ａは座部２の同一円周上に等角度間隔で穿設された広告物固定具１の４箇所の固定具挿通孔（図２）、３は座部２の中央部に形設された雌螺子部２ｂ（図２）に端部が螺着されて立設され端部が座部２の底面と面一に溶接された広告物固定具１のボルト軸である。
【００１５】
以上のように構成された広告物固定具を用いた実施の形態１の広告物固定構造について説明する。
図３は実施の形態１の広告物固定構造を示す要部断面模式図である。
図３中、１０は実施の形態１の広告物固定構造、１１は固定対象物である箱文字等の広告物１２が固定される建物等の壁面、１３は広告物１２の表面部、１３ａは表面部１３の外周を囲繞する広告物１２の周壁部、１４は広告物１２の底板部、１４ａは底板部１４の外周に立設され周壁部１３ａの内側に挿通固定された底板部１４の立上がり部、２０は壁面１１の表側に当接する広告物固定具１の座部２の固定具挿通孔２ａから挿通され壁面１１に螺着されて座部２を壁面１１に固定する固定具、２１は広告物固定具１のボルト軸３に螺着され広告物１２の底板部１４を背面側から支持する支持ナット、２２はボルト軸３の先端側に螺着され支持ナット２１との間で広告物１２の底板部１４を挟持する押さえナット、２３は広告物１２の周壁部１３ａと立上がり部１４ａを螺子止め固定するビス等の側部固定具である。
【００１６】
実施の形態１の広告物固定構造の組立方法について説明する。
まず、図３において、広告物固定具１の座部２を固定具２０で壁面１１に固定する。
次に、広告物固定具１のボルト軸３に支持ナット２１が螺着された状態で広告物１２の底板部１４に形成された固定孔（図示せず）にボルト軸３を挿通した後、ボルト軸３の先端側に押さえナット２２を螺着し、支持ナット２１と押さえナット２２で広告物１２の底板部１４を挟持する。
最後に、底板部１４及び立上がり部１４ａを覆うように表面部１３で蓋をして周壁部１３ａと立上がり部１４ａを側部固定具２３で螺子止め固定する。
【００１７】
以上のように、壁面１１の表側から固定具２０のみで座部２を壁面１１に簡単かつ確実に固定することができる。
また、支持ナット２１と押さえナット２２で広告物１２の底板部１４を挟持するので、壁面１１と広告物１２との間隔を容易に調整することができる。
尚、広告物固定具１は、広告物１２の大きさ、重量、形状などに応じて、広告物１２の底板部１３の要所に配設することができる。
本実施の形態では、座部２を円板状に形成したが、座部２の形状や大きさは固定対象である広告物１２の大きさや重量などに応じて、適宜、選択することができ、楕円板状や矩形板状等に形成してもよい。
本実施の形態では、固定具挿通孔２ａを等角度間隔で４箇所に配置することにより、固定安定性に優れるが、固定具挿通孔２ａの数や配置は適宜、選択することができ、２箇所又は３箇所でもよい。
また、ボルト軸３の太さや長さは、広告物１２の大きさや重量及び壁面１１から広告物１２までの距離などに応じて、適宜、選択することができる。
座部２とボルト軸３は螺着されているが、座部２の底面側で座部２とボルト軸３を溶接することにより、強固に固定することができる。
尚、溶接の方法は、適宜、選択することができるが、溶接時の余盛が座部２の底面側に突出しないように溶接することで、座部２の底面を壁面１１に密着させることができ、固定具２０で固定した際に、座部２が傾いたり、ぐらついたりすることがなく、固定の安定性に優れる。
【００１８】
以上のように構成された実施の形態１の広告物固定構造は、以下の作用を有する。
（１）壁面の表側に当接する座部と、座部に穿設された固定具挿通孔と、固定具挿通孔から挿通され壁面に螺着される固定具を備えていることにより、壁面に予め孔あけ加工などを行う必要がなく、壁面の表側から座部の固定具挿通孔に固定具を挿通して壁面に螺着するだけで短時間で簡単かつ確実に座部を固定することができ、施工性、省力性に優れる。
（２）壁面の表側に当接する座部と、座部の中央部に立設され広告物の底板部に形成された固定孔に挿通されるボルト軸を有するので、壁面の表側に当接する座部でボルト軸を確実に支持してボルト軸と共に広告物が傾斜することを防ぐことができ、固定安定性に優れる。
（３）ボルト軸に螺着され広告物の底板部を支持する支持ナットと、ボルト軸に螺着され支持ナットとの間で広告物の底板部を挟持する押さえナットを有するので、ボルト軸に支持ナットと押さえナットを螺着するだけで、広告物の底板部を確実に支持することができ、施工性、省力性に優れる。
（４）ボルト軸に螺着される支持ナットと押さえナットで広告物の底板部を挟持することができるので、ボルト軸に沿って支持ナットと押さえナットの位置を移動させるだけで壁面と広告物との間隔を容易に調整することができ、汎用性、機能性に優れる。
（５）座部の中央部に形設された雌螺子部にボルト軸の端部が螺着されていることにより、座部とボルト軸を確実に固定することができるだけでなく、座部に対してボルト軸を直交させて、ボルト軸で保持される広告物の底板部を壁面と平行に保つことができ、施工性、美感性に優れる。
（６）座部の底面側で座部にボルト軸の端部が面一に溶接されていることにより、座部とボルト軸をさらに強固に固定することができ、ボルト軸が座部から脱落することがなく、耐久性、取扱い性に優れる。
【００１９】
（実施の形態２）
実施の形態２における広告物固定構造について説明する。
図４において、実施の形態２における広告物固定構造１０Ａが実施の形態１と異なるのは、広告物１２Ａが周壁部１３ａから壁面１１側に延設された延設部１３ｂを有している点と、底板部１４の背面側に広告物１２を照明するＬＥＤ等を用いた照明具１５が配設されている点である。
これにより、広告物１２の装飾性、夜間の視認性を向上させることができる。尚、照明具１５は、広告物１２の底板部１４側から広告物１２を照明することができればよく、数、配置、色、明るさ等は、広告物１２の種類や大きさ等に応じて、適宜、選択することができる。
照明具１５の光源は適宜、選択することができるが、ＬＥＤを用いることにより、省スペース性、省電力性、長寿命性に優れる。尚、照明具１５の電源（図示せず）は底板部１４の背面側や表面側に配置してもよいし、壁面１１に埋め込んでもよい。
本実施の形態では、広告物１２Ａが延設部１３ｂを有することにより、照明具１５を保護することができるが、別途、底板部１４にカバー等を取付けてもよい。
尚、実施の形態２の広告物固定構造の組立方法は実施の形態１と同様なので、説明を省略する。
【００２０】
以上のように構成された実施の形態２における広告物固定構造によれば、実施の形態１で得られる作用と同様の作用に加え、以下のような作用が得られる。
（１）壁面と広告物との間に配設された照明具を有することにより、広告物の背面側から広告物を照明することができ、装飾性、美感性、夜間の視認性に優れる。
【産業上の利用可能性】
【００２１】
本考案により、建物等の壁面に各種広告物を確実に固定して各種広告物と壁面との間隔を一定に保つことができ、簡素な構造で孔あけ加工等を行う必要がなく施工性、量産性に優れ、接着剤等も不要で工期を短縮することができ、作業性、省力性に優れた広告物固定構造の提供を行うことができ、建物等の壁面の有効利用に貢献することができる。
【符号の説明】
【００２２】
１  広告物固定具
２  座部
２ａ  固定具挿通孔
２ｂ  雌螺子部
３  ボルト軸
１０，１０Ａ  広告物固定構造
１１  壁面
１２，１２Ａ  広告物
１３  表面部
１３ａ  周壁部
１３ｂ  延設部
１４  底板部
１４ａ  立上がり部
１５  照明具
２０  固定具
２１  支持ナット
２２  押さえナット
２３  側部固定具
【図１】
0003199402.tif 000003
【図２】
0003199402.tif 000004
【図３】
0003199402.tif 000005
【図４】
0003199402.tif 000006